(57)【要約】【課題】視認性がよく、風や、水の抵抗が受け難い構造の両方を兼ね備える昼間に用いることができる釣り用棒浮きを提供する。【解決手段】トップ部１１と、これに連接して胴部１２を有し、胴部１２の直径をトップ部１１の直径より大きくすると共に、喫水線１３を境にしてトップ部１１側が水面上に突出する釣り用棒浮き１０において、トップ部１１の直径より大きい径からなる１又は複数個の筒体１８が、筒体１８とトップ部１１のそれぞれの長さ方向の中心を同一にして長さ方向の上、下端でトップ部１１に接合固定され、トップ部１１が筒体１８の長さ方向の中心を貫通して有すると共に、筒体１８の内周面と、トップ部１１の外周面との間に空隙を有し、しかも、筒体１８の側面に複数個の貫通孔２０を有する。【選択図】図１
2007330165.tif 000002
【特許請求の範囲】
【請求項１】
トップ部と、該トップ部に連接して胴部を有し、該胴部の直径を前記トップ部の直径より大きくすると共に、喫水線を境にして前記トップ部側が水面上に突出する釣り用棒浮きにおいて、
前記トップ部の直径より大きい径からなる１又は複数個の筒体が、該筒体と前記トップ部のそれぞれの長さ方向の中心を同一にして長さ方向の上、下端で前記トップ部に接合固定され、前記トップ部が前記筒体の長さ方向の中心を貫通して有すると共に、前記筒体の内周面と、前記トップ部の外周面との間に空隙を有し、しかも、前記筒体の側面に複数個の貫通孔を有することを特徴とする釣り用棒浮き。
【請求項２】
トップ部と、該トップ部に連接して胴部を有し、該胴部の直径を前記トップ部の直径より大きくすると共に、喫水線を境にして前記トップ部側が水面上に突出する釣り用棒浮きにおいて、
前記トップ部の直径より大きい径からなる１又は複数個の筒体が、該筒体と前記トップ部のそれぞれの長さ方向の中心を同一にして長さ方向の上、下端で前記トップ部に接合固定され、前記トップ部と前記筒体が長さ方向の中心を同一にして連接し、前記筒体の長さ方向の中心に前記トップ部を有さないと共に、前記筒体内に空隙を有し、しかも、前記筒体の側面に複数個の貫通孔を有することを特徴とする釣り用棒浮き。
【発明の詳細な説明】
【技術分野】
【０００１】
本発明は、魚釣りに用いるための浮きに関し、より詳細には、遠投げ用で浮きが立設する釣り用棒浮きに関する。
【背景技術】
【０００２】
釣り用浮きには、一般に、玉浮きタイプと、棒浮きタイプがある。玉浮きタイプは、玉子形状や、どんぐり形状等をなし、飛び易いという特徴を有しているが、水面に玉が浮遊するものであるので、視認性が悪いという欠点がある。一方、棒浮きタイプは、水面に棒が立設するものであるので、比較的視認性には優れ、魚のあたりに対する敏感な感度を捉えることができるが、浮きが遠くに流された場合には、細い棒ではかなり視認性が低下する。また、太い棒浮きタイプは、風の抵抗を受けやすく、魚のあたりに対する敏感な感度を低下させる場合がある。
【０００３】
従来から釣り用棒浮きには、様々な形態のものが既に市販されている。図４に示すように、従来の釣り用棒浮き５０は、棒浮きの中では最も一般的な浮きであり、トップ部５１と、このトップ部５１に連接して胴部５２を有し、胴部５２の直径をトップ部５１の直径より大きくしている。また、この釣り用棒浮き５０は、胴部５２と、トップ部５１の連接近傍に喫水線５３を設け、この喫水線５３を境にしてトップ部５１側が水面上に突出するようになっている。このタイプの釣り用棒浮き５０は、トップ部５１が細くできており、風や、水の抵抗を受けることが少なく、魚のあたりに対する敏感な感度を捉えることができる。しかしながら、この釣り用棒浮き５０は、トップ部５１が細くできているので、海面での視認性に欠け、特に、浮きを遠くに流した時に見失うという欠点がある。
【０００４】
図５に示すように、従来の他の釣り用棒浮き５０ａは、トップ部５１ａが釣り用棒浮き５０のトップ部５１と同じ細いものを用い、そこに複数の玉子形状等からなる軽量の発泡玉５４を接合したものとなっている。このタイプの釣り用棒浮き５０ａは、釣り用棒浮き５０の細いトップ部５１のみに比較して視認性がよくなっている。しかしながら、釣り用棒浮き５０ａは、発泡玉５４部分に風や、水の抵抗が受けやすく魚のあたりに対する敏感な感度を捉えることが難しくなっている。
【０００５】
図６に示すように、また、従来の他の釣り用棒浮き５０ｂは、トップ部５１ｂが中空のパイプ状となっている。このタイプの釣り用棒浮き５０ｂは、釣り用棒浮き５０、５０ａの細いトップ部５１、５１ａに比較して視認性がよくなっている。しかしながら、釣り用棒浮き５０ｂは、中空内が空洞５５として空気が入り、トップ部５１ｂが太くなるので、風や、水の抵抗が受けやすく魚のあたりに対する敏感な感度を捉えることが難しくなっている。
【０００６】
図７に示すように、更に、従来の他の釣り用棒浮き５０ｃは、例えば、トップ部５１ｃと、胴部５２ａがそれぞれ分離しており、釣りをする時にトップ部５１ｃのねじ５６と、胴部５２ａのねじ穴５７で繋ぎ合わせることで浮きとしている。この釣り用棒浮き５０ｃは、トップ部５１ｃと胴部５２ａの全体を太く、大きくしたプラスチック製の大型となっている。このタイプの釣り用棒浮き５０ｃは、太くて、大型であるので、浮きが遠くに流されても視認性がよい。また、釣り用棒浮き５０ｃは、太くて浮力が強いので、風や、水の抵抗を跳ね返すことができる。しかしながら、釣り用棒浮き５０ｃは、太くて、大型であるので、魚が餌をくわえて引こうとする時の浮きの空気抵抗や、浮力による抵抗が大きく、魚が餌を離してしまうという問題がある。
【０００７】
従来の釣り用棒浮きには、夜釣りのための視認性を向上させるのに、発光ダイオードを内蔵させたものが提案されている（例えば、特許文献１、特許文献２参照）。
また、従来の釣り用棒浮きには、釣り場の状況にきめ細かく対応でき、携帯、取扱いが容易で経済性に優れたものが提案されている（例えば、特許文献３参照）。
更に、従来の釣り用棒浮きには、トップ部と、胴部の長手方向中心を連通穿孔された貫通孔を設けて魚に与える抵抗感を緩和させ、あたりをよくするものが提案されている（例えば、特許文献４参照）。
【０００８】
【特許文献１】特開平１１−１７８４９１号公報
【特許文献２】実開平７−４３８１０号公報
【特許文献３】特開平８−１５４５４９号公報
【特許文献２】実開平６−５２４５３号公報
【発明の開示】
【発明が解決しようとする課題】
【０００９】
しかしながら、前述したような従来の釣り用棒浮きは、未だ解決すべき次のような問題がある。
（１）釣り用棒浮きには、視認性がよいのと、風や、水の抵抗が受け難い構造の両方を兼ね備えたものが必要とするところであるが、従来の外が明るい間に魚釣りを行うための釣り用棒浮きは、視認性に優れる構造のものは、風や、水の抵抗が受け易く、逆に、風や、水の抵抗を受け難い構造のものは、視認性が悪くなっている。
（２）従来の外が明るい間に魚釣りを行うための釣り用棒浮きは、視認性がよく、風や、水の抵抗が受け難い構造の両方を兼ね備えるには、太くて、大型となるので、魚が餌をくわえて引こうとする時の浮きの空気抵抗や、浮力による抵抗が大きく、魚が餌を離してしまうという問題があり、魚を的確に釣ることが難しくなっている。
（３）特開平１１−１７８４９１号公報や、実開平７−４３８１０号公報で開示されるような夜釣り用の釣り用棒浮きは、光を発して夜間には有効であるが、外が明るい間に魚釣りを行うのに用いるには、視認性がよいものは、風や、水の抵抗が受け易く、逆に、風や、水の抵抗が受け難い構造のものは、視認性が悪くなっている。
（４）特開平８−１５４５４９号公報や、実開平６−５２４５３号公報で開示されるような釣り用棒浮きは、それぞれ浮きに機能性を付加させるものであって、視認性がよく、風や、水の抵抗が受け難い構造の両方を兼ね備える浮きにはなっていない。
【００１０】
本発明は、かかる事情に鑑みてなされたものであって、視認性がよく、風や、水の抵抗が受け難い構造の両方を兼ね備える昼間に用いることができる釣り用棒浮きを提供することを目的とする。
【課題を解決するための手段】
【００１１】
前記目的に沿う本発明に係る釣り用棒浮きは、トップ部と、トップ部に連接して胴部を有し、胴部の直径をトップ部の直径より大きくすると共に、喫水線を境にしてトップ部側が水面上に突出する釣り用棒浮きにおいて、トップ部の直径より大きい径からなる１又は複数個の筒体が、筒体とトップ部のそれぞれの長さ方向の中心を同一にして長さ方向の上、下端でトップ部に接合固定され、トップ部が筒体の長さ方向の中心を貫通して有すると共に、筒体の内周面と、トップ部の外周面との間に空隙を有し、しかも、筒体の側面に複数個の貫通孔を有する。
【００１２】
前記目的に沿う本発明に係る他の釣り用棒浮きは、トップ部と、トップ部に連接して胴部を有し、胴部の直径をトップ部の直径より大きくすると共に、喫水線を境にしてトップ部側が水面上に突出する釣り用棒浮きにおいて、トップ部の直径より大きい径からなる１又は複数個の筒体が、筒体とトップ部のそれぞれの長さ方向の中心を同一にして長さ方向の上、下端でトップ部に接合固定され、トップ部と筒体が長さ方向の中心を同一にして連接し、筒体の長さ方向の中心にトップ部を有さないと共に、筒体内に空隙を有し、しかも、筒体の側面に複数個の貫通孔を有する。
【発明の効果】
【００１３】
請求項１記載の釣り用棒浮きは、トップ部の直径より大きい径からなる１又は複数個の筒体が、筒体とトップ部のそれぞれの長さ方向の中心を同一にして長さ方向の上、下端でトップ部に接合固定され、トップ部が筒体の長さ方向の中心を貫通して有すると共に、筒体の内周面と、トップ部の外周面との間に空隙を有し、しかも、筒体の側面に複数個の貫通孔を有するので、筒体の側面に設ける貫通孔を通る光りによって視認性を向上させることができる構造と、貫通孔で風や、水を通過させて抵抗が緩和させることができる構造の両方を兼ね備える釣り用棒浮きを提供できる。また、筒体には、長さ方向の中心を貫通してトップ部を有するので、強度が高くて折れにくいと共に、魚のあたりに対する敏感な感度を捉えることができる釣り用棒浮きを提供できる。
【００１４】
請求項２記載の釣り用棒浮きは、トップ部の直径より大きい径からなる１又は複数個の筒体が、筒体とトップ部のそれぞれの長さ方向の中心を同一にして長さ方向の上、下端でトップ部に接合固定され、トップ部と筒体が長さ方向の中心を同一にして連接し、筒体の長さ方向の中心にトップ部を有さないと共に、筒体内に空隙を有し、しかも、筒体の側面に複数個の貫通孔を有するので、筒体の側面に設ける貫通孔を通る光りによって視認性を向上できる構造と、貫通孔で風や、水を通過させて抵抗が緩和できる構造の両方を兼ね備える釣り用棒浮きを提供できる。また、筒体には、長さ方向の中心を貫通するようなトップ部がないので、側面に設ける貫通孔に光を通過させやすくできて視認性を更に向上させると共に、風や、水の抵抗の緩和を促進できて、魚のあたりに対する敏感な感度を捉えることができる釣り用棒浮きを提供できる。。
【発明を実施するための最良の形態】
【００１５】
続いて、添付した図面を参照しつつ、本発明を具体化した実施の形態について説明し、本発明の理解に供する。
ここに、図１は本発明の一実施の形態に係る釣り用棒浮きの説明図、図２は同釣り用棒浮きの使用状態を示す模式図、図３は同他の釣り用棒浮きの説明図である。
【００１６】
図１に示すように、本発明の一実施の形態に係る釣り用棒浮き１０は、トップ部１１と、このトップ部１１に連接して胴部１２を有している。このトップ部１１は、比重の軽く、浮力の高いプラスチックや、グラスファイバー等からなり内部が中実で、外形が比較的細長い円柱体で、長さと直径がそれぞれ錘の大きさによって異なる様々な大きさのものとなっている。胴部１２は、竹や、木や、プラスチック等からなり内部が中空、又は中実となっている。そして、胴部１２は、外形がトップ部１１との連接部から少し先まで徐々に円錐状にトップ部１１の直径より大きくなり、更に端部までは僅かなテーパ−状に太くなる程度の円柱体に形成されて、全体として直径がトップ部１１の直径より大きくなっている。胴部１２の長さは、トップ部１１と同様、様々な長さのものがあるが、概ねトップ部１１の長さと同等以上から３倍程度の長さとなっている。そして、この釣り用棒浮き１０には、浮きのそれぞれによって個別に調整されて設けられている喫水線１３を境にしてトップ部１１側が水面上に突出するようになっている。
【００１７】
図２に示すように、この釣り用棒浮き１０の胴部１２の先端、又は胴部１２から延設された足部（図示せず）の先端には、金属製や、セラミック製や、硬質樹脂製等からなるリング１４が取り付けられ、ここに道糸１５を通すようになっている。また、この釣り用棒浮き１０には、通常、胴部１２の端部の内部に錘が埋め込まれて水に投入すると浮きが自立する自立タイプ（図２ではこのタイプを示す）と、胴部１２の下に足部を備えると共に、胴部１２に錘を内蔵しなくて、又は軽い錘の内蔵によって比較的軽くできていて水に投入すると浮きが寝たままの状態となる非自立タイプがある。自立タイプの釣り用棒浮き１０は、リング１４に道糸１５を通して、道糸１５の先端部に設ける錘１６と、道糸１５の途中に設ける浮き止め１７とで使用され、仕掛けの投入で浮きが着水すると浮きが自力で立ち上がり、錘が道糸を沈めて浮き止め１７と、リング１４で浮きを止めるようになっている。一方、非自立タイプの釣り用棒浮き１０は、リング１４を通した道糸に付けられた錘１６が沈んで、浮きのリング１４が浮き止め１７で止まってはじめて浮きを自立させることで使用するようになっている。
【００１８】
上記の釣り用棒浮き１０は、トップ部１１に、このトップ部１１の直径より大きい径の１又は複数個のプラスチック製等の比較的薄い厚さからなる筒体１８を有している。この筒体１８は、長さ方向中心をトップ部１１の長さ方向中心と同一としている。この釣り用棒浮き１０に設ける筒体１８は、長さ方向の上、下端を絞り込むようにしてトップ部１１との接合部を設け、筒体１８をトップ部１１の先端から差込んで接着剤等を用いて接着し、固定することで、トップ部１１が筒体１８の長さ方向の中心を貫通するようにしている。この釣り用棒浮き１０は、トップ部１１が筒体１８の中心を貫通するように設けられているので、トップ部１１の強度を維持することができる。なお、トップ部１１に筒体１８を取り付けた後には、トップ部１１の先端に筒体１８が外れた場合の抜け防止用のゴム製や、プラスチック製等からなる止め具１９を取り付けることが好ましい。
【００１９】
この釣り用棒浮き１０は、筒体１８の内周面と、トップ部１１の外周面との間には空隙を有している。しかも、この釣り用棒浮き１０は、筒体１８の側面に複数個の貫通孔２０を有している。この貫通孔２０は、形状が、特に限定されるものではなく、円形、楕円形状、三角形状、多角形状等からなり、形成場所も、特に限定されるものではなく、ランダムな位置に複数個を設けてもよく、規則的に並べて設けてもよい。また、貫通孔２０は、大きさも、特に限定されるものではないが、トップ部１１の径より大きい径であるのが好ましい。更には、貫通孔２０は、筒体１８の側面を反対側の側面まで直線的に貫通したものであってもよく、貫通していないものであってもよい。なお、貫通孔２０は、大きさがトップ部１１の直径より大きく、側面を反対側の側面まで直線的に貫通する場合には、光がトップ部１１で遮られことが少なくなるので、光を通しやすくなる。従って、例えば、太陽光が直接貫通孔２０に差し込んだ場合には、光を遮断することを少なくして通過させることができると共に、トップ部１１で反射、屈折して様々な方向に光を発することができる。また、トップ部１１や、筒体１８には、１又は複数色からなる蛍光体を付着させることで、更に視認性を向上させることができる。
【００２０】
次いで、図３に示すように、本発明の一実施の形態に係る他の釣り用棒浮き１０ａは、トップ部１１ａと、このトップ部１１ａに連接して胴部１２を有している。また、釣り用棒浮き１０ａは、釣り用棒浮き１０と同様に、胴部１２の直径をトップ部１１の直径より大きくすると共に、浮きのそれぞれによって個別に調整されて設けられている喫水線１３を境にしてトップ部１１ａ側が水面上に突出するようになっている。
【００２１】
この釣り用棒浮き１０ａは、トップ部１１ａの直径より大きい径からなる１又は複数個のプラスチック製等の比較的薄い厚さからなる筒体１８ａを有している。この筒体１８ａは、釣り用棒浮き１０の筒体１８と同様のものが用いられ、長さ方向中心をトップ部１１の長さ方向中心と同一とし、長さ方向の上、下端を絞り込むようにしてトップ部１１ａに接着固定されている。そして、釣り用棒浮き１０ａは、トップ部１１ａと、筒体１８ａを、長さ方向の中心を同一にして連結するように接続している。従って、釣り用棒浮き１０ａは、筒体１８ａの内部の長さ方向中心にはトップ部１１ａを有しておらず、トップ部１１ａが筒体１８ａ内で間欠する状態となっている。
【００２２】
この釣り用棒浮き１０ａは、筒体１８ａの内部全体が空洞となっている。しかも、この釣り用棒浮き１０ａの筒体１８ａの側面には、釣り用棒浮き１０の貫通孔２０と同様の複数個の貫通孔２０を有している。この貫通孔２０は、釣り用棒浮き１０の貫通孔２０と同様に形状、形成場所、大きさが、特に限定されるものではない。また、この貫通孔２０は、筒体１８ａの側面を反対側の側面まで直線的に貫通したものであってもよく、貫通していないものであってもよい。なお、釣り用棒浮き１０ａは、貫通孔２０の内部が何もなく空洞となっているので、貫通孔２０に入り込む光を遮ることなく通過させることができる。また、トップ部１１ａや、筒体１８ａには、釣り用棒浮き１０の場合と同様に、１又は複数色からなる蛍光体を付着させることで、更に視認性を向上させることができる。
【実施例】
【００２３】
本発明者は、トップ部が長さ２００ｍｍ、直径１．５ｍｍの中実プラスチック製で、胴部が長さ４００ｍｍ、中間部あたりの直径６．０ｍｍの竹製の自立タイプの浮きを２本準備し、本発明の筒体を取り付けた実施例の釣り用棒浮きと、従来の筒体を取り付けない比較例の釣り用棒浮きについての視認性の確認を行った。実施例の筒体には、長さ５０ｍｍ、直径５．０ｍｍ、厚さ０．２ｍｍ程度のプラスチック製のものを２個準備し、長さ方向中心に対して垂直に側面、及び対向する部分の側面を直線的に貫通する直径４．０ｍｍの貫通孔を５個設けた。この５個の貫通孔は、筒体の長さ方向に略等間隔で整列し、貫通する方向が１個毎に９０度回転する位置になるように配置した。２個の筒体は、それぞれの長さ方向両端の絞り込み部分の孔を、リード部の先端からリード部の外周と嵌合させて挿入し、それぞれの筒体間で間隔を設けてトップ部に取り付けた。そして、実施例と、従来例の釣り用棒浮きは、それぞれ道糸に取り付け、昼間の沖の方向に向かう潮に乗せて流し、目視で確認できる所までの距離を測定して視認性の比較を行った。測定結果を表１に示す。
【００２４】
【表１】
2007330165.tif 000003
【００２５】
測定結果では、本発明の釣り用棒浮きは、従来の釣り用棒浮きが１０〜１５ｍ程度の確認できる距離であったのに対して、３５〜４５ｍ程度までの確認できる距離であり、従来より２倍以上の距離まで確認でき、視認性に優れていることが分った。
【産業上の利用可能性】
【００２６】
本発明の釣り用棒浮きは、釣り竿に取付けたリールから引き出される道糸に挿通させ、陸上からの沖釣り用や、船上からの船釣り用としても好適に使用することができる。
【図面の簡単な説明】
【００２７】
【図１】本発明の一実施の形態に係る釣り用棒浮きの説明図である。
【図２】同釣り用棒浮きの使用状態を示す模式図である。
【図３】同他の釣り用棒浮きの説明図である。
【図４】従来の釣り用棒浮きの説明図である。
【図５】従来の他の釣り用棒浮きの説明図である。
【図６】従来のまた他の釣り用棒浮きの説明図である。
【図７】従来の更に他の釣り用棒浮きの説明図である。
【符号の説明】
【００２８】
１０、１０ａ：釣り用棒浮き、１１、１１ａ：トップ部、１２：胴部、１３：喫水線、１４：リング、１５：道糸、１６：錘、１７：浮き止め、１８：筒体、１９：止め具、２０：貫通孔
【図１】
2007330165.tif 000004
【図２】
2007330165.tif 000005
【図３】
2007330165.tif 000006
【図４】
2007330165.tif 000007
【図５】
2007330165.tif 000008
【図６】
2007330165.tif 000009
【図７】
2007330165.tif 000010